(57)【要約】【課題】利用者が好みの外観に変更できるシートカバーを提供する。【解決手段】純正シート５００に装着するシートカバー１，１００，２００において、純正シート５００を覆うカバー本体２０と、カバー本体２０の外面２１と異なる外面構成を有する変更部材３０，１３０，２３１，２３２，２３３，３０’と、カバー本体２０の外面２１に変更部材３０，２３１，２３２，２３３，３０’を固定する固定手段４０，１４０，１５０，２４０，４０’とを備えた。【選択図】図４
2013000487.tif 000002
【特許請求の範囲】
【請求項１】
自動車用シートに装着するシートカバーにおいて、
自動車用シートを覆うカバー本体と、
前記カバー本体の外面と異なる外面構成を有する変更部材と、
前記カバー本体の外面に前記変更部材を固定する固定手段とを備えた
シートカバー。
【請求項２】
前記カバー本体と、前記変更部材とを別体構成した
請求項１に記載のシートカバー。
【請求項３】
前記固定手段を、
前記カバー本体の外面と、前記変更部材の内面とを固定する構成とした
請求項２に記載のシートカバー。
【請求項４】
前記固定手段を、
前記カバー本体の外面に対して層状に取り付けると共に、前記カバー本体との間に前記変更部材の挿入を許容する層状固定手段で構成し、前記層状固定手段を、挿入した前記変更部材を外部から視認可能な視認可能材料で構成した
請求項２に記載のシートカバー。
【請求項５】
前記変更部材を、
前記カバー本体に対して前記固定手段で取り外し可能に固定して一体構成した
請求項１に記載のシートカバー。
【請求項６】
前記変更部材を、
互いに異なる外面構成を有する複数の前記変更部材を、層状に重ね合わせ、前記固定手段により取り外し可能に固定する積層変更部材で構成した
請求項５に記載のシートカバー。
【発明の詳細な説明】
【技術分野】
【０００１】
この発明は、例えば、自動車用シートに装着するシートカバーに関する。詳しくは、利用者が好みの外観に変更できるシートカバーに関する。
【背景技術】
【０００２】
一般に、シートカバーは、例えば、特許文献１の図６及び図８に示すように、所定の形状に裁断された表面部材同士を縫製することで、装着する自動車用シートの形状に略一致する袋形状に形成されている。
【０００３】
従来、上記シートカバーの利用者は、好みの外観のシートカバーを、店頭に並んだ既成のシートカバーの中から選択し、自動車用シートに装着して利用していた。  
しかし、利用者が選択できるシートカバーの種類は限られており、各利用者の嗜好に合った外観のシートカバーを提供することはできなかった。
【０００４】
そこで、予め定めた様々な色や材質等の中から、利用者に好みのものを選択してもらい、注文制作することで、各利用者の嗜好に合った外観のシートカバーを提供していた。
【０００５】
しかしながら、上述の注文制作する場合においては、店頭に並んだ既成のシートカバーの中から選択する場合に比べ、製作のコストが高く、また、注文から納品までに時間がかかるという問題があった。
【先行技術文献】
【特許文献】
【０００６】
【特許文献１】特開２０００−５１５５０号公報
【発明の概要】
【発明が解決しようとする課題】
【０００７】
そこで、この発明は、利用者が好みの外観に変更できるシートカバーを提供することを目的とする。
【課題を解決するための手段】
【０００８】
この発明は、自動車用シートに装着するシートカバーにおいて、自動車用シートを覆うカバー本体と、前記カバー本体の外面と異なる外面構成を有する変更部材と、前記カバー本体の外面に前記変更部材を固定する固定手段とを備えたことを特徴とする。  
上記外面構成は、例えば、色、光沢の有無、材質、凹凸、柄等とすることができる。
【０００９】
この発明により、前記カバー本体の外面と異なる外面構成を有する前記変更部材を、前記カバー本体の外面に、前記固定手段により固定することで、利用者がシートカバーを好みの外観の変更することができる。その結果、シートカバーの利用者の満足度をより向上することができる。
【００１０】
この発明の態様として、前記カバー本体と、前記変更部材とを別体構成することができる。  
この発明により、色、光沢の有無、材質、凹凸、柄等の外面構成が異なる様々な前記変更部材の中から好みの前記変更部材を選択して、前記カバー本体に対して前記固定手段で固定することで、様々な外観の前記シートカバーに変更することができる。
【００１１】
また、この発明の態様として、前記固定手段を、前記カバー本体の外面と、前記変更部材の内面とを固定する構成とすることができる。  
上記固定手段は、例えば、両面テープ、接着剤等、或いは、雌雄一対の面ファスナ等とすることができる。
【００１２】
この発明により、前記カバー本体の外面と、前記変更部材の内面とを、前記固定手段で固定するだけで、容易に、好みの外観の前記シートカバーに変更することができる。
【００１３】
また、この発明の態様として、前記固定手段を、前記カバー本体の外面に対して層状に取り付けると共に、前記カバー本体との間に前記変更部材の挿入を許容する層状固定手段で構成し、前記層状固定手段を、挿入した前記変更部材を外部から視認可能な視認可能材料で構成することができる。  
上記層状固定手段は、例えば、透明な樹脂製シート、網状の布地等とすることができる。
【００１４】
この発明により、前記カバー本体と前記層状固定手段との間に、色、光沢の有無、材質、凹凸、柄等の外面構成が異なる様々な前記変更部材を、自在に、挿入し、取り出すことができる。したがって、容易に、様々な外観の前記シートカバーに変更することができる。
【００１５】
また、この発明の態様として、前記変更部材を、前記カバー本体に対して前記固定手段で取り外し可能に固定して一体構成することができる。  
この発明により、前記固定手段で前記カバー本体に取り外し可能に固定している前記変更部材を、前記カバー本体から取り外すことで、固定した状態とは異なる外観の前記シートカバーに変更することができる。
【００１６】
また、この発明の態様として、前記変更部材を、互いに異なる外面構成を有する複数の前記変更部材を、層状に重ね合わせ、前記固定手段により取り外し可能に固定する積層変更部材で構成することができる。  
この発明により、前記積層変更部材を構成する前記変更部材の取り外す枚数を選択することで、様々な外観の前記シートカバーに変更することができる。
【発明の効果】
【００１７】
この発明により、利用者が好みの外観に変更できるシートカバーを提供することができる。
【図面の簡単な説明】
【００１８】
【図１】カバー本体に変更部材を接着した状態のシートカバーの斜視図。
【図２】背もたれ部シートカバーのカバー本体の説明図。
【図３】背もたれ部シートカバーの変更部材の説明図。
【図４】カバー本体に変更部材を接着する前後の状態の説明図。
【図５】カバー本体に変更部材を接着する前の状態のシートカバーの斜視図。
【図６】第２実施形態のカバー本体に変更部材を接着した状態のシートカバーの斜視図。
【図７】第２実施形態のカバー本体と変更部材の説明図。
【図８】第２実施形態のカバー本体に変更部材を固定する前後の状態の説明図。
【図９】第２実施形態の変形例の説明図。
【図１０】第２実施形態のカバー本体に変更部材を固定する前の状態のシートカバーの斜視図。
【図１１】第３実施形態の純正シートに装着した状態のシートカバーの斜視図。
【図１２】第３実施形態のカバー本体と変更部材の説明図。
【図１３】第３実施形態のカバー本体から第１変更部材を剥がす前後の状態の説明図。
【図１４】第３実施形態の第１変更部材を剥がした後の状態のシートカバーの斜視図。
【図１５】他の実施形態の説明図。
【発明を実施するための形態】
【００１９】
（第１実施形態）
本発明の第１実施形態のシートカバー１を、以下図１乃至図５と共に説明する。  
図１は、自動車の純正シート５００に装着した状態のシートカバー１の斜視図を示している。詳しくは、背もたれ部シートカバー１０のカバー本体２０に変更部材３０を接着固定した状態のシートカバー１の斜視図を示している。
【００２０】
また、図２は、背もたれ部シートカバー１０のカバー本体２０の説明図を示している。詳しくは、図２（ａ）は、カバー本体２０の全体の斜視図を示し、図２（ｂ）は、カバー本体２０における、第１カバー本体部材２５、変更部材３０を接着固定する第２カバー本体部材２６、及び、第３カバー本体部材２７の斜視図を示している。
【００２１】
また、図３は、背もたれ部シートカバー１０の変更部材３０の説明図を示している。詳しくは、図３（ａ）は、変更部材３０の外面３１の側から見た斜視図を示し、図３（ｂ）は、変更部材３０の内面３２の側から見た斜視図を示し、図３（ｃ）は、内面３２に備えた両面テープ４０の剥離紙４２を途中まで剥離した状態の斜視図を示している。
【００２２】
また、図４は、変更部材３０をカバー本体２０の第２カバー本体部材２６に対して両面テープ４０で接着固定する前後の状態の説明図を示している。詳しくは、図４（ａ）は、変更部材３０を、カバー本体２０の第２カバー本体部材２６に対して接着固定する前の状態の斜視図を示し、図４（ｂ）は、変更部材３０を接着固定した後の状態の斜視図を示している。  
また、図５は、背もたれ部シートカバー１０のカバー本体２０に変更部材３０を接着固定する前の状態のシートカバー１の斜視図を示している。
【００２３】
シートカバー１は、図１に示すように、純正シート５００の背もたれ部５１０に装着する背もたれ部シートカバー１０と、純正シート５００の座部５８０に装着する座部シートカバー８０と、純正シート５００のヘッドレスト５９０に装着するヘッドレストカバー９０とで構成している。
【００２４】
さらに、背もたれ部シートカバー１０は、図２に示す、純正シート５００の背もたれ部５１０の全体を覆うカバー本体２０と、図３に示す、カバー本体２０の外面２１に対して接着固定する変更部材３０とで構成している。
【００２５】
ここで、カバー本体２０は、合成皮革とウレタンシートとを貼り合わせて、所定の形状に裁断した複数のカバー本体部材の端部同士を、合成皮革が外側となるように縫製することで、図２（ａ）に示すように、純正シート５００の背もたれ部５１０の外面形状に略一致する袋形状に形成している。カバー本体２０は、外面２１を全て黒色の合成皮革で形成し、黒色の外観を有している。
【００２６】
詳しくは、カバー本体２０における乗員の背中等と接触する背もたれ面２４の中央部分は、図２（ｂ）に示すように、第１カバー本体部材２５、変更部材３０を接着固定する第２カバー本体部材２６、及び、第３カバー本体部材２７で構成している。
【００２７】
第１カバー本体部材２５は、略同一の形状に裁断した第１合成皮革２５ａと第１ウレタンシート２５ｂとを貼り合せて構成している。同様に、第２カバー本体部材２６は、略同一の形状に裁断した第２合成皮革２６ａと第２ウレタンシート２６ｂとを貼り合せて構成し、第３カバー本体部材２７は、略同一の形状に裁断した第３合成皮革２７ａと第３ウレタンシート２７ｂとを貼り合せて構成している。
【００２８】
さらに、第１カバー本体部材２５と第２カバー本体部材２６とは、第１合成皮革２５ａ及び第２合成皮革２６ａを外側にして、第１カバー本体部材２５の下端を内側に折り返した折返し部分２５ｒと、第２カバー本体部材２６の上端部分２６ｕとを内側において縫い糸２８で縫製することで連接している。
【００２９】
同様に、第２カバー本体部材２６と第３カバー本体部材２７とは、第２合成皮革２６ａ及び第３合成皮革２７ａを外側にして、第３カバー本体部材２７の上端を内側に折り返した折返し部分２７ｒと、第２カバー本体部材２６の下端部分２６ｄとを内側において縫い糸２８で縫製することで連接している。
【００３０】
また、変更部材３０は、カバー本体２０の外面２１を構成する黒色の合成皮革と異なる、例えば、外面３１が赤色の合成皮革で構成し、図３に示すように、外面３１及び内面３２を、上述の第２カバー本体部材２６の外面である被接着面２１ａの形状と略一致する形状に形成している。また、変更部材３０は、内面３２に両面テープ４０を備えている。
【００３１】
両面テープ４０は、図３（ｂ）及び図３（ｃ）に示すように、変更部材３０の外面３１及び内面３２の形状と略一致する形状を有し、両面に接着剤を塗布した接着テープ４１と、接着テープ４１の外側の接着面４１ａを覆う剥離紙４２とで一体構成している。そして、両面テープ４０は、内側の接着面を上述の変更部材３０の内面３２に対して接着固定している。
【００３２】
変更部材３０は、両面テープ４０の剥離紙４２を剥がして、図４に示すように、上述の両面テープ４０の外側の接着面４１ａを、カバー本体２０の第２カバー本体部材２６の被接着面２１ａに接着することで、カバー本体２０に対して固定する。
【００３３】
変更部材３０をカバー本体２０に接着固定することで、例えば、図５に示す、全体が黒色のシートカバー１を、図１に示すように、乗員の背中等と接触する背もたれ面２４の一部を赤色に変更することができる。
【００３４】
なお、上述の第１実施形態では、変更部材３０の外面３１は、赤色であるが、もちろんこれに限らず、カバー本体２０の外面２１と異なる様々な色を有していてもよい。
【００３５】
また、上述の第１実施形態では、変更部材３０の外面３１は、カバー本体２０の外面２１と色が異なる構成であるが、もちろんこれに限らず、光沢の有無、材質、凹凸、柄等の外面構成が異なっていてもよい。  
また、上述の第１実施形態において、両面テープ４０に替えて、変更部材３０の内面に直接接着剤を塗布し、その上から剥離紙を貼り付けた構成であってもよい。
【００３６】
上述のシートカバー１の構成により、以下に述べる作用効果を奏する。  
カバー本体２０の外面２１と異なる外面構成を有する変更部材３０を、カバー本体２０の外面２１に、両面テープ４０により接着固定することで、シートカバー１を、好みの外観に変更することができる。その結果、シートカバー１の利用者の満足度をより向上することができる。
【００３７】
また、シートカバー１は、色、光沢の有無、材質、凹凸、柄等の外面構成が異なる様々な変更部材３０の中から好みの変更部材３０を選択して、カバー本体２０に対して両面テープ４０で接着固定することで、様々な外観に変更することができる。
【００３８】
また、シートカバー１は、カバー本体２０の外面２１と、変更部材３０の内面３２とを、両面テープ４０で接着固定するだけで、容易に、好みの外観に変更することができる。
【００３９】
さらに、シートカバー１は、カバー本体２０の外面２１の任意の部分が汚たり、タバコの火等により穴が開いたときに当該部分の上から、適宜の形状及び表面構成を有する変更部材３０を接着固定することで、当該部分を変更部材３０で覆って隠すこともできる。
（第２実施形態）
次に、本発明の第２実施形態のシートカバー２を、以下図６乃至図８と共に説明する。なお、上述の第１実施形態と同じ構成については、同じ符号とし、説明を省略する。
【００４０】
図６は、自動車の純正シート５００に装着した状態のシートカバー１００の斜視図を示している。詳しくは、背もたれ部シートカバー１１０のカバー本体２０に変更部材１３０を挿入して固定した状態のシートカバー１００の斜視図を示している。
【００４１】
また、図７は、背もたれ部シートカバー１１０のカバー本体２０、変更部材１３０、及び、透明な樹脂製シート１４０の説明図を示している。詳しくは、図７（ａ）は、カバー本体２０における、第１カバー本体部材２５、第２カバー本体部材２６と樹脂製シート１４０、及び、第３カバー本体部材２７の斜視図を示している。さらに、図７（ｂ）は、変更部材１３０の外面１３１の側から見た斜視図を示し、図７（ｃ）は、内面３２の側から見た斜視図を示している。
【００４２】
また、図８は、変更部材１３０を、カバー本体２０の第２カバー本体部材２６と、透明な樹脂製シート１４０との間に挿入して固定する前後の状態の説明図を示している。詳しくは、図８（ａ）は、変更部材１３０を、第２カバー本体部材２６と、透明な樹脂製シート１４０との間に挿入して固定する前の状態の斜視図を示し、図８（ｂ）は、変更部材１３０を、挿入して固定した後の状態の斜視図を示している。
【００４３】
シートカバー１００の背もたれ部シートカバー１１０は、図７（ａ）に示す、純正シート５００の背もたれ部５１０の全体を覆うカバー本体２０と、カバー本体２０の第２カバー本体部材２６に対して層状に取り付けた透明な樹脂製シート１４０と、図７（ｂ）及び図７（ｃ）に示す、第２カバー本体部材２６と、透明な樹脂製シート１４０との間の被挿入部分１２１ａに挿入して固定する変更部材１３０とで構成している。
【００４４】
ここで、樹脂製シート１４０は、透明で軟質であり、第２カバー本体部材２６の形状と略同一の形状に形成している。  
さらに、第１カバー本体部材２５と第２カバー本体部材２６とは、第２カバー本体部材２６の外面に樹脂製シート１４０を端を揃えて重ね合わせた状態で、第１カバー本体部材２５の下端を内側に折り返した折返し部分２５ｒと、第２カバー本体部材２６の上端部分２６ｕ及び樹脂製シート１４０の上端部分１４０ｕとを、内側において、縫い糸２８で縫製することで連接している。
【００４５】
同様に、第２カバー本体部材２６と第３カバー本体部材２７とは、第２カバー本体部材２６の外面に樹脂製シート１４０を端を揃えて重ね合わせた状態で、第３カバー本体部材２７の上端を内側に折り返した折返し部分２７ｒと、第２カバー本体部材２６の下端部分２６ｄ及び樹脂製シート１４０の下端部分１４０ｄとを、内側において、縫い糸２８で縫製することで連接している。
【００４６】
また、変更部材１３０は、カバー本体２０の外面２１を構成する黒色の合成皮革と異なる、例えば、外面１３１が赤色の合成皮革で構成し、図７（ｂ）及び図７（ｃ）に示すように、外面１３１及び内面１３２を、上述の第２カバー本体部材２６の形状と略一致する形状に形成している。なお、変更部材１３０には、両面テープ等の固定手段は特に設けない。
【００４７】
上述の変更部材１３０を、図８に示すように、カバー本体２０の第２カバー本体部材２６と、透明な樹脂製シート１４０との間の被挿入部分１２１ａに挿入することで、変更部材１３０をカバー本体２０に固定する。
【００４８】
なお、上述の透明な樹脂製フイルム１４０を、図９及び図１０に示すように、第２カバー本体部材２６の形状と略一致する形状を有する網状の布地１５０に置き換えて、変更部材１３０を、第２カバー本体部材２６と、網状の布地１５０との間の被挿入部分１８１ａに挿入してもよい。
【００４９】
ここで、図９は、第２実施形態において、透明な樹脂製シート１４０を網状の布地１５０で置き換えた変形例の説明図を示している。詳しくは、図９（ａ）は、変更部材１３０を、第２カバー本体部材２６と、網状の布地１５０との間に挿入して固定する前の状態の斜視図を示し、図９（ｂ）は、変更部材１３０を、挿入して固定した後の状態の斜視図を示している。
【００５０】
また、図１０は、背もたれ部シートカバー１１０のカバー本体１２０に変更部材１３０を挿入して固定する前の状態のシートカバー１００の斜視図を示している。
【００５１】
変更部材１３０をカバー本体２０に挿入して固定することで、例えば、図１０に示す、全体が黒色のシートカバー１００を、図６に示すように、乗員の背中等と接触する背もたれ面１２４の一部を赤色に変更することができる。
【００５２】
なお、上述の第２実施形態では、変更部材１３０の外面１３１は、赤色であるが、もちろんこれに限らず、カバー本体２０の外面２１と異なる様々な色を有していてもよい。
【００５３】
また、上述の第２実施形態では、変更部材１３０の外面１３１は、カバー本体２０の外面２１と色が異なる構成であるが、もちろんこれに限らず、光沢の有無、材質、凹凸、柄等の外面構成が異なっていてもよい。
【００５４】
上述のシートカバー１００の構成により、以下に述べる作用効果を奏する。  
カバー本体２０の外面２１と異なる外面構成を有する変更部材１３０を、カバー本体２０の外面２１に、樹脂製シート１４０、又は、網状の布地１５０により固定することで、シートカバー１００を、好みの外観に変更することができる。その結果、シートカバー１００の利用者の満足度をより向上することができる。
【００５５】
また、シートカバー１００は、カバー本体２０と樹脂製シート１４０又は網状の布地１５０との間に、色、光沢の有無、材質、凹凸、柄等の外面構成が異なる様々な変更部材１３０を、自在に、挿入し、取り出すことができる。したがって、容易に、様々な外観に変更することができる。
（第３実施形態）
次に、本発明の第３実施形態のシートカバー２００を、以下図１１乃至図１４と共に説明する。なお、上述の第１実施形態と同じ構成については、同じ符号をとし、説明を省略する。
【００５６】
図１１は、自動車の純正シート５００に装着した状態のシートカバー２００の斜視図を示している。詳しくは、背もたれ部シートカバー２１０のカバー本体２０から第１変更部材２３１を剥がす前の状態のシートカバー２００の斜視図を示している。
【００５７】
また、図１２は、背もたれ部シートカバー２１０のカバー本体２０と積層変更部材２３０の説明図を示している。詳しくは、図１２（ａ）は、カバー本体２０における、積層変更部材２３０を接着固定する第２カバー本体部材２６、第１カバー本体部材２５、及び、第３カバー本体部材２７の斜視図を示している。
【００５８】
さらに、図１２（ｂ）は、積層変更部材２３０の外面２３１ａの側から見た斜視図を示し、図１２（ｃ）は、積層変更部材２３０の第１変更部材２３１及び第２変更部材２３２を途中まで剥離した状態の斜視図を示し、図１２（ｄ）は、内面２３３ｂの側から見た斜視図を示している。
【００５９】
また、図１３は、カバー本体２０から第１変更部材２３１を剥がし取る前後の説明図を示している。詳しくは、図１３（ａ）は、カバー本体２０に積層変更部材２３０を接着固定して備えた状態の斜視図を示し、図１３（ｂ）は、カバー本体２０から第１変更部材２３１を剥がす途中の状態の斜視図を示し、図１３（ｃ）は、第１変更部材２３１を剥がした後の状態の斜視図を示している。
【００６０】
また、図１４は、背もたれ部シートカバー２１０のカバー本体２０から第１変更部材２３１を剥がした後の状態のシートカバー２００の斜視図を示している。  
シートカバー２００の背もたれ部シートカバー２１０は、図１２に示す、カバー本体２０と積層変更部材２３０とで構成している。
【００６１】
ここで、積層変更部材２３０を構成する第１変更部材２３１は、カバー本体２０の外面２１を構成する黒色の合成皮革と異なる、例えば、外面２３１ａが赤色の合成皮革で構成し、図１２（ｂ）に示すように、外面２３１ａ及び内面２３１ｂを、第２カバー本体部材２６の被接着面２１ａと略一致する形状に形成している。
【００６２】
また、積層変更部材２３０を構成する第２変更部材２３２は、例えば、外面２３２ａが青色の合成皮革で構成し、第１変更部材２３１と略一致する形状に形成している。
【００６３】
さらに、積層変更部材２３０を構成する第３変更部材２３３は、例えば、外面２３３ａが白色の合成皮革で構成し、第２変更部材２３２と略一致する形状に形成している。
【００６４】
積層変更部材２３０は、上述の第１変更部材２３１、第２変更部材２３２、及び、第３変更部材２３３を重ね合せ、剥離可能な接着剤２４０で貼り合せて構成している。
【００６５】
したがって、図１１に示すような、第１変更部材２３１が最表面となる状態においては、変更第１部材２３１の外面２３１ａが第１変更部材２３０の外面２３０ａとなる。
【００６６】
さらに、積層変更部材２３０は、第３変更部材２３３の内面２３３ｂを、カバー本体２０の第２カバー本体部材２６の外面である被接着面２１ａに接着剤２４０で接着固定することでカバー本体２０に備えている。
【００６７】
なお、第２変更部材２３２の外面２３２ａ、第３変更部材２３３の外面２３３ａ、及び、第２カバー本体部材２６の外面である被接着面２１ａは、接着剤２４０の成分が染み込まないように剥離加工されている。  
このため、例えば、第１変更部材２３１を第２変更部材２３２から剥がし取ったときに、接着剤２４０が第２変更部材２３２の外面２３２ａに残らない。
【００６８】
上述のように積層変更部材２３０を備えたカバー本体２０から、例えば、図１３に示すように、第１変更部材２３１を剥がし取ることで、シートカバー２００における乗員の背中等と接触する背もたれ面２２４の一部を赤色から青色に変更可能である。
【００６９】
第１変更部材２３１をカバー本体２０から剥がし取ることで、図１１に示す、全体が黒色で一部が赤色のシートカバー２００を、図１４に示すように、乗員の背中等と接触する背もたれ面２２４の一部を青色に変更することができる。
【００７０】
なお、上述の第３実施形態では、積層変更部材２３０における第１変更部材２３１の外面２３１ａ、第２変更部材２３２の外面２３２ａ、及び、第３変更部材２３３ａの外面２３３ａは、夫々、赤色、青色、及び、白色であるが、もちろんこれに限らず、カバー本体２０の外面２１と異なる様々な色を有していてもよい。
【００７１】
また、上述の第３実施形態では、積層変更部材２３０を構成する第１変更部材２３１の外面２３１ａ、第２変更部材２３２の外面２３２ａ、及び、第３変更部材２３３ａの外面２３３ａは、カバー本体２０の外面２１と色が異なる構成であるが、もちろんこれに限らず、材質、凹凸、柄等の外面構成が異なっていてもよい。
【００７２】
上述のシートカバー２００の構成により、以下に述べる作用効果を奏する。  
カバー本体２０の外面２１と異なる外面構成を有する第１変更部材２３１，第２変更部材２３２，第３変更部材２３３を積層した積層変更部材２３０を、カバー本体２０の外面２１に、接着剤２４０により接着固定していることで、シートカバー２００を、好みの外観に変更することができる。その結果、シートカバー２００の利用者の満足度をより向上することができる。
【００７３】
また、シートカバー２００は、接着剤２４０でカバー本体２０に取り外し可能に接着固定している積層変更部材２３０を構成する第１変更部材２３１、第２変更部材２３２、及び、第３変更部材２３３を、カバー本体２０から取り外すことで、接着固定していた状態とは異なる外観に変更することができる。
【００７４】
また、第３実施形態のシートカバー２００は、積層変更部材２３０を構成する第１変更部材２３１、第２変更部材２３２、及び、第３変更部材２３３の取り外す枚数を選択することで、様々な外観に変更することができる。
【００７５】
例えば、上述のように第１変更部材２３１のみをカバー本体２０から剥がし取ることで、乗員の背中等と接触する背もたれ面２２４の一部を赤色から青色に変更でき、また、第１変更部材２３１及び第２変更部材２３２を剥がし取ることで、赤色から白色に変更できる。さらに、第１変更部材２３１、第２変更部材２３２、及び、第３変更部材２３３をカバー本体２０から全て剥がし取ることで、背もたれ面２２４の全面を黒色に変更することができる。
【００７６】
なお、上述の第１実施形態から第３実施形態において、変更部材３０，１３０、及び、積層変更部材２３０は、全て第２カバー本体部材２６の全面を覆う態様で固定しているが、様々な形状、大きさの変更部材３０，１３０、又は、積層変更部材２３０を、カバー本体２０の外面２１の様々な場所に固定してもよい。
【００７７】
例えば、変更部材３０，１３０、又は、積層変更部材２３０を、背もたれ部シートカバー１０の乗員の背中等が当接する背もたれ面２４、又は、座部シートカバー８０の乗員の臀部等が当接する座面８４に固定してもよいし、背もたれ部シートカバー１０のサイド部１１ｂ、又は、座部シートカバー８０のサイド部８１ｂに固定してもよい。
【００７８】
また、変更部材３０，１３０、又は、積層変更部材２３０を、シートカバー１の座部シートカバー８０の正面８１ａに固定してもよいし、ヘッドレストカバー９０の正面９１ａに固定してもよい。さらに、純正シートのアームレストを覆うアームレストカバーに固定してもよい。
【００７９】
また、例えば、同一、又は、互いに異なった外面構成の変更部材３０，１３０、又は、積層変更部材２３０を、カバー本体２０の外面２１の複数箇所に固定してもよい。
【００８０】
この発明の構成と、上述の実施形態との対応において、
固定手段は、両面テープ４０、樹脂製シート１４０、網状の布地１５０、及び、接着剤２４０に対応し、
以下同様に、
層状固定手段は、樹脂製シート１４０、及び、網状の布地１５０に対応し、
変更部材は、変更部材３０，１３０，３０’、第１変更部材２３１、第２変更部材２３２、及び、第３変更部材２３３に対応し、
自動車用シートは、純正シート５００に対応するも、
この発明は、上述の実施形態の構成のみに限定されるものではなく、多くの実施形態を得ることができる。
【００８１】
例えば、第１実施形態のシートカバー１において、両面テープ４０に替えて、図１５に示すように、縫い糸４１’と、変更部材３０’の周縁に沿って設けた縫い糸４１’の通過を許容する通し孔４２’とで構成する縫製手段４０’を、カバー本体２０に変更部材３０’を固定する固定手段として用いてもよい。なお、図１５において、第１実施形態のシートカバー１と同じ構成については、同じ符号とし、説明を省略する。
【００８２】
また、例えば、第３実施形態のシートカバー２００において、接着剤２４０に替えて、上述の縫い糸４１’で、通し孔４２’を有する積層変更部材をカバー本体２０に固定してもよい。
【符号の説明】
【００８３】
１，１００，２００…シートカバー
２０…カバー本体
２１…外面
３０，１３０，３０’…変更部材
３２，２３１ｂ，２３２ｂ，２３３ｂ，３２’…内面
４０…両面テープ
１４０…樹脂製シート
１５０…網状の布地
２３０…積層変更部材
２３１…第１変更部材
２３２…第２変更部材
２３３…第３変更部材
２４０…接着剤
４０’…縫製手段
５００…純正シート
【図１】
2013000487.tif 000003
【図２】
2013000487.tif 000004
【図３】
2013000487.tif 000005
【図４】
2013000487.tif 000006
【図５】
2013000487.tif 000007
【図６】
2013000487.tif 000008
【図７】
2013000487.tif 000009
【図８】
2013000487.tif 000010
【図９】
2013000487.tif 000011
【図１０】
2013000487.tif 000012
【図１１】
2013000487.tif 000013
【図１２】
2013000487.tif 000014
【図１３】
2013000487.tif 000015
【図１４】
2013000487.tif 000016
【図１５】
2013000487.tif 000017